(57)【要約】【課題】写真、絵画等の入れ替えの際に、これを迅速かつ容易に行うことを可能とした額を提供すること。【解決手段】複数本の長尺状のフレーム材を略多角形状に枠組みすることにより形成されるフレーム（２）と、該フレーム（２）内に支持される、写真、絵画等を挟み込むための、透明体（３）および裏板（４）と、を具備する額（１）において、少なくとも前記フレーム（２）又は裏板（４）の裏面任意の箇所に、絵画、写真等を収納可能（６）な収納手段を備えたことを特徴としており、これにより、例えば室内の模様替え等を目的として複数枚の写真、絵画等を定期的に交換する場合などは、使用しない写真、絵画等を額自体に収納保管しておくことができ、これらを再使用する際に探す手間が省け、入れ替え作業を迅速に行うことが可能となる。【選択図】図１
0003102514.tif 000002
【実用新案登録請求の範囲】
【請求項１】
複数本の長尺状のフレーム材を略多角形状に枠組みすることにより形成されるフレーム（２）と、
該フレーム（２）内に支持される、写真、絵画等を挟み込むための、透明体（４）および裏板（３）と、を具備する額（１）において、
少なくとも前記フレーム（２）又は裏板（３）の裏面任意の箇所に、絵画、写真等を収納可能な収納手段（６）を備えたことを特徴とする額。
【請求項２】
前記収納手段（６）が袋状の収納部材であることを特徴とする請求項１に記載の額。
【考案の詳細な説明】
【技術分野】
【０００１】
本考案は、略四角形状に枠組みされたフレームとこのフレーム内周に支持された透明体及び裏板とを備える額に係り、より詳しくは、少なくともフレーム又は裏板の裏面に、絵画、写真等を収納可能な収納手段を備えたことを特徴とする額に関する。
【背景技術】
【０００２】
従来から、写真、絵画等を壁等に飾る場合には額が用いられている。即ち、この額は、周知の通り、長尺状のフレーム材を多角形状に枠組みして構成されたフレームと、この多角形状に枠組みされたフレーム内に支持されるとともに、写真、絵画等を挟み込んで支持することが可能な裏板および透明体を備えており、更に、フレームの裏側には、裏板をフレームに係止するための、「とんぼ」といわれる係止部材が回動自在に装着されている。そして、裏板と透明体の間に写真、絵画等を挟み込むことにより額に写真、絵画等を支持するとともに、係止部材によって裏板をフレームに係止して、この状態で額を壁等に掛けることにより、写真、絵画等を所望する箇所に飾ることを可能としている。
【考案の開示】
【考案が解決しようとする課題】
【０００３】
ところで、額に写真、絵画等を支持している際において、室内の模様替え等を目的として、額に支持している写真、絵画等を入れかえる場合があるが、このとき、取り外した古い写真、絵画等を破棄する場合は格別、その他の場合には、取り外した写真、絵画等を保管しなければならず、そのための収納手段が必要となる。またこのことは、複数枚の写真、絵画等を用いて定期的にこれらを入れ替える場合も同様であり、これらの場合において、使用していない写真、絵画等を収納している収納手段が額と離れた場所にある場合には、写真、絵画等の入れ替えを行う場合に、収納保管している写真、絵画等が容易に見つからないことが往々にしてある。
【０００４】
そこで、本考案は、写真、絵画等の入れ替えの際に、これを迅速かつ容易に行うことを可能とした額を提供することを課題としている。
【課題を解決するための手段】
【０００５】
本考案の額は、複数本の長尺状のフレーム材を略多角形状に枠組みすることにより形成されるフレームと、該フレーム内に支持される、写真、絵画等を挟み込むための、透明体および裏板と、を具備する額において、
少なくとも前記フレーム又は裏板の裏面任意の箇所に、絵画、写真等を収納可能な収納手段を備えたことを特徴としている。
【考案の効果】
【０００６】
本考案の額では、額を構成するフレーム又は裏板の、裏面任意の箇所に、絵画、写真等を収納可能な収納手段を備えている。
そのため、この収納手段の中に使用しない写真、絵画等を収納しておくことにより、これらの写真、絵画等を再使用等する場合には、これを探す必要がなく、容易に見つけることができる。
従って、本考案を用いて、使用していない写真、絵画等を収納手段に収納しておくことで、写真、絵画等の額装作業を迅速に行うことが可能となる。
【考案を実施するための最良の形態】
【０００７】
本考案の額では、長尺状のフレーム材を多角形状に枠組みすることによってフレームが形成されるとともに、このフレーム内には、透明体及び裏板が支持されており、この透明体及び裏板間に、写真、絵画等を挟み込むことを可能としている。
【０００８】
そして、少なくとも前記フレーム又は裏板の裏面任意の箇所には、絵画、写真等を収納可能な収納手段が備えられている。
【０００９】
ここで、前記収納手段としては、写真、絵画等を折り畳まずに収納可能であるとともに、額を壁等に飾った場合でもその存在を隠すことが可能なような、薄い袋状の収納部材を用いるとよく、これにより、収納する写真、絵画等をそのまま収納することが可能となる。
【実施例１】
【００１０】
本考案の額の実施例について図面を参照して説明すると、図１は、本実施例の額の裏面を示す図あり、また、図２は図１におけるＡ−Ａ線断面図であり、図において１が本実施例の額である。
【００１１】
そして、本実施例の額１は、図に示すように、全体として略四角形状としている。即ち、本実施例の額１では、４本の長尺状のフレーム材を略四角形状に枠組みすることによりフレーム２が形成されており、このフレーム２内に、裏板３および透明体４が支持され、この裏板３と透明体４間に写真、絵画等を挟み込むことにより、額１に写真、絵画等を装着可能としている。
【００１２】
ここで、図２において、前記フレーム２には、その裏面において、内周側全域に亘って載置部２０１が形成されており、この載置部２０１上に、透明体４および裏板３の周縁部を載置可能としている。
【００１３】
そして、前記載置部２０１上に透明体３及び裏板４の周縁部を載置するとともに、裏板３をとんぼ等の係止部材５でフレーム２に係止し、これによりフレーム２内に裏板３および透明体４を支持可能としている。そして、使用に際しては、透明体４と裏板３間に写真、絵画等５を挟み込むことを可能としている。
【００１４】
次に、図１において６は収納手段であり、本実施例では前記裏板３の裏面側に収納手段６を装着して、この収納手段６内に使用しない写真、絵画等を収納可能としている。
【００１５】
ここで、前記収納手段６について説明すると、本実施例における前記収納手段６は、写真、絵画等を、折り畳まずにそのまま収納可能な収納部６０１を有する袋状の収納部材６を用いており、その厚さは、写真、絵画等を数枚重ねて収納可能な程度の厚さとしている。そして、材質としては、紙、ビニール等の重量の少ないものを用いている。したがって、ビニールを用いる場合には、クリアファイルに類似した形態のものとしてもよい。
【００１６】
このように、本実施例の額では、裏板の裏面に写真、絵画等を収納可能な収納部材を備えているために、例えば、室内の模様替え等のために複数枚の写真、絵画等を定期的に交換する場合などにおいては、使用しない写真、絵画等を収納部材６に収納しておき、これにより額自体に写真、絵画等を収納しておくことによって、別途収納手段を用いて写真、絵画等を収納しておく場合と比較して、写真、絵画等の入れ替えのために収納している写真、絵画等を使用する場合に、これを探す必要がなく、入れ替え作業を迅速に行うことが可能となる。
【００１７】
なお、前述の実施例では、裏板３の裏面に収納部材６を装着した場合について説明したが、必ずしも裏板３の裏面に装着する必要はなく、その他、例えばフレーム４の裏側に収納部材６を装着してもよい。そしてこのとき、収納部材６の装着方法は特に限定されず、接着剤による装着や、その他ビス等によって装着してもよい。
【００１８】
また、収納部材６の素材も紙、ビニールには限定されず、厚みをとらずに額の裏側に装着可能なものであればいずれの素材を用いてもよい。
【００１９】
更に、前述の実施例においては、収納手段として袋状の収納部材６を用いた場合について説明したが、必ずしも袋状の収納部材を用いる必要はなく、写真、絵画等を収納可能であればいずれの収納手段を用いてもよい。従って、例えば、紙片、ビニール片等における、（１）両側片部分と底部分、（２）一方の側片部分と上部分と底部分等の、任意の３片部分を裏板３に接着することによって、紙片やビニール片等と裏板３とによって収納部６０１を形成してもよい。
【産業上の利用可能性】
【００２０】
本考案の額では、少なくともフレーム又は裏板の裏面任意の箇所に収納手段を備えて、これにより使用していない写真、絵画等を額自体に収納保管することを可能にしているために、とんぼ等の係止手段によって裏板をフレームに係止するいわゆる一般的な額の他に、フレーム自体を回動して写真、絵画等を収納可能なフロントオープン式のパネル等にも適用可能である。
【図面の簡単な説明】
【００２１】
【図１】本考案の額の実施例の背面図である。
【図２】図１におけるＡ−Ａ線断面図である。
【符号の説明】
【００２２】
１    額
２    フレーム
３    裏板
４    透明体
５    係止部材
６    収納部材
【図１】
0003102514.tif 000003
【図２】
0003102514.tif 000004